(57)【要約】【課題】コンテンツを送信したい相手の電子メールアドレスを指定して送信するだけでなく、相手の電話番号や名前などを宛先に指定してコンテンツの送信操作をすれば相手先に正しく配信することができるようにする。【解決手段】あるユーザが別のあるユーザにコンテンツを送信するときには、送信側端末装置２０において、送信元のユーザがローカルアドレス情報保存部２２に保持している通信相手先を特定する１又は複数種のローカルアドレス情報を宛先ユーザ識別情報として選択し、選択若しくは作成した送信用コンテンツに付加して情報ネットワーク３０上に送信すれば、センタ装置１０側で、送信用コンテンツに付加して送信されてきた宛先ユーザ識別情報を自装置の保持しているユーザ情報と照合し、一致するユーザ情報に関連付けられた識別番号の端末装置を受信側端末装置として該コンテンツを配信する。【選択図】　　　図６
2004056191.tif 000002
【特許請求の範囲】
【請求項１】
固定電話番号、携帯電話番号、電子メールアドレス、住所、名前等、通信相手先を特定する１又は複数種のローカルアドレス情報を、同じ通信相手先について複数種のローカルアドレス情報がある場合にはそれらを相互に関連付けた態様で保持するローカルアドレス情報保存部と、
画像ファイル、テキストファイル等のコンテンツを保存するコンテンツ保存部と、
ヒューマンマシンインタフェースと、
前記ヒューマンマシンインタフェースにより前記コンテンツ保存部に保存されているコンテンツから選択され、若しくは新たに作成されたコンテンツを送信用コンテンツとして保持する送信用コンテンツ作成部と、
前記ローカルアドレス情報保存部に保持されている複数の通信相手先のローカルアドレス情報から前記ヒューマンマシンインタフェースにより選択された１若しくは複数の通信相手先それぞれについて少なくとも１種類のローカルアドレス情報を宛先ユーザ識別情報とし、前記送信用コンテンツに付加して情報ネットワークに送出するコンテンツ送信部とを備えて成る端末装置。
【請求項２】
固定電話、携帯電話、パソコン、携帯情報端末等の通信機能を有する機器と接続し、それらの機器に保持されている固定電話番号、携帯電話番号、電子メールアドレス、住所、名前等、通信相手先を特定する１又は複数種のローカルアドレス情報を取り込むローカルアドレス情報取込手段を備えたことを特徴とする請求項１に記載の端末装置。
【請求項３】
多数の端末装置各々の固有の識別番号と、各端末装置に対応するユーザを識別する固定電話番号、携帯電話番号、電子メールアドレス、住所、名前等の１又は複数種のユーザ識別情報とを関連付け、ユーザ情報としてユーザ毎に蓄積するユーザ情報蓄積部と、
任意の端末装置からの宛先ユーザを識別する固定電話番号、携帯電話番号、電子メールアドレス、住所、名前等の宛先ユーザ識別情報が付加された送信用コンテンツを受信したときに、当該宛先ユーザ識別情報を前記ユーザ情報蓄積部のユーザ情報と照合し、宛先ユーザ識別情報と一致するユーザ識別情報に関連付けられた端末装置の識別番号を抽出する受信側端末装置識別部と、
前記受信側端末装置識別部が抽出した識別番号の端末装置に前記送信用コンテンツを情報ネットワークを通じて送信するネットワークインタフェースとを備えて成るセンタ装置。
【請求項４】
多数の端末装置と、センタ装置と、前記端末装置とセンタ装置との間のデータ伝送を受け持つ情報ネットワークとで構成されるコンテンツ配信システムであって、
前記多数の端末装置各々は固有の識別番号を保持しており、
前記センタ装置は、前記端末装置それぞれの識別番号と各端末装置に対応するユーザを識別する１又は複数種のユーザ識別情報とを関連付けたユーザ情報をユーザ毎に保持しており、
前記センタ装置は、ある送信側端末装置からのコンテンツ送信要求により該コンテンツを受信側端末装置に配信する際に、送信側端末装置が送信用コンテンツに付加して送信してくる宛先ユーザ識別情報を前記ユーザ情報と照合し、一致するユーザ識別情報に関連付けられた識別番号の端末装置を受信側端末装置にして該コンテンツを配信することを特徴とするコンテンツ配信システム。
【請求項５】
前記センタ装置は、前記受信側端末装置に前記コンテンツを送信するとき、受信側端末装置に送信側端末装置のユーザ識別情報を含む送信元情報を送信し、受信側端末装置からの配信了解の通知を受信した場合にのみ該コンテンツを送信することを特徴とする請求項４に記載のコンテンツ配信システム。
【請求項６】
前記ユーザ識別情報にはユーザの名前、電話番号、電子メールアドレス、住所又は郵便番号を含むことを特徴とする請求項４又は５に記載のコンテンツ配信システム。
【請求項７】
ヒューマンマシンインタフェースによりコンテンツ保存部に保存されているコンテンツから選択され、若しくは新たに作成されたコンテンツを送信用コンテンツとして保持する処理と、
ローカルアドレス情報保存部に保持されている複数の相手先それぞれに関連付けられた固定電話番号、携帯電話番号、電子メールアドレス、住所、名前等、通信相手先を特定する１又は複数種のローカルアドレス情報から、前記ヒューマンマシンインタフェースにより選択された１若しくは複数の通信相手先それぞれについて少なくとも１種類のローカルアドレス情報を宛先ユーザ識別情報とし、前記送信用コンテンツに付加する処理と、
前記宛先ユーザ識別情報が付加された送信用コンテンツを情報ネットワークに送出する処理とをコンピュータに実行させることを特徴とする端末用プログラム。
【請求項８】
多数の端末装置各々の固有の識別番号と、各端末装置に対応するユーザを識別する固定電話番号、携帯電話番号、電子メールアドレス、住所、名前等の１又は複数種のユーザ識別情報とを関連付け、ユーザ情報としてユーザ毎に蓄積する処理と、
任意の端末装置からの宛先ユーザを識別する固定電話番号、携帯電話番号、電子メールアドレス、住所、名前等の少なくとも１種類の宛先ユーザ識別情報が付加された送信用コンテンツを受信したときに、当該宛先ユーザ識別情報を前記ユーザ情報と照合し、宛先ユーザ識別情報と一致するユーザ識別情報に関連付けられた端末装置の識別番号を抽出する処理と、
抽出した識別番号の端末装置に前記送信用コンテンツを情報ネットワークを通じて送信する処理とをコンピュータに実行させることを特徴とするコンテンツ配信用プログラム。
【発明の詳細な説明】
【０００１】
【発明の属する技術分野】
本発明は、動画や静止画の画像ファイルや電子メールなどのコンテンツを相手先に配信する端末装置、センタ装置、コンテンツ配信システム、端末用プログラム及びコンテンツ配信用プログラムに関する。
【０００２】
【従来の技術】
パーソナルコンピュータ、携帯情報端末、メール伝送機能付き携帯電話あるいは固定電話等で電子メールを送信するときには、宛先の電子メールアドレスを指定するようになっている。そして指定した宛先の電子メールアドレスが間違っていると、電子メールが相手に届かなかったり、間違った相手に電子メールが届いてしまうことがある。
【０００３】
【発明が解決しようとする課題】
このように、従来の電子メール伝送システムにあっては、宛先の電子メールアドレスを指定して電子メールを送信しているため、正しい電子メールアドレスを知らないと電子メールを送信できなかった。
【０００４】
本発明は、このような従来の技術的課題に鑑みてなされたもので、電子メールや電子ファイルのようなコンテンツを送信したい相手の電子メールアドレスを指定して送信するだけでなく、送信元のユーザが送信したい相手の電話番号や名前などを宛先に指定してコンテンツの送信操作をすれば相手先に正しく配信することができるコンテンツ配信技術を提供することを目的とする。
【０００５】
【課題を解決するための手段】
請求項１の発明の端末装置は、固定電話番号、携帯電話番号、電子メールアドレス、住所、名前等、通信相手先を特定する１又は複数種のローカルアドレス情報を、同じ通信相手先について複数種のローカルアドレス情報がある場合にはそれらを相互に関連付けた態様で保持するローカルアドレス情報保存部と、画像ファイル、テキストファイル等のコンテンツを保存するコンテンツ保存部と、ヒューマンマシンインタフェースと、前記ヒューマンマシンインタフェースにより前記コンテンツ保存部に保存されているコンテンツから選択され、若しくは新たに作成されたコンテンツを送信用コンテンツとして保持する送信用コンテンツ作成部と、前記ローカルアドレス情報保存部に保持されている複数の通信相手先のローカルアドレス情報から前記ヒューマンマシンインタフェースにより選択された１若しくは複数の通信相手先それぞれについて少なくとも１種類のローカルアドレス情報を宛先ユーザ識別情報とし、前記送信用コンテンツに付加して情報ネットワークに送出するコンテンツ送信部とを備えたものである。
【０００６】
請求項１の発明の端末装置では、あるユーザが別のあるユーザにコンテンツを送信するときに、送信元のユーザが自身の端末装置を送信側端末装置とし、そのローカルアドレス情報保存部に保持している通信相手先を特定する１又は複数種のローカルアドレス情報を宛先ユーザ識別情報として選択し、選択若しくは作成した送信用コンテンツに付加して情報ネットワーク上に送信することができる。
【０００７】
この送信側端末装置からコンテンツ送信要求を受けたセンタ装置側で、送信用コンテンツに付加して送信されてきた宛先ユーザ識別情報を自装置の保持しているユーザ情報と照合し、一致するユーザ識別情報に関連付けられた識別番号の端末装置を受信側端末装置として該コンテンツを配信する。
【０００８】
こうして、コンテンツを送信しようとするユーザは、宛先ユーザの使用している端末装置の識別番号が不明であっても、宛先ユーザを特定するユーザ識別情報、例えば、固定電話番号、携帯電話番号、電子メールアドレス、住所、名前等の宛先ユーザ識別情報の１又は複数種を宛先として指定して送信操作すれば、コンテンツを該当ユーザの端末装置に簡単に送信できる。
【０００９】
請求項２の発明は、請求項１の端末装置において、固定電話、携帯電話、パソコン、携帯情報端末等の通信機能を有する機器と接続し、それらの機器に保持されている固定電話番号、携帯電話番号、電子メールアドレス、住所、名前等、通信相手先を特定する１又は複数種のローカルアドレス情報を取り込むローカルアドレス情報取込手段を備えたことを特徴とするものである。
【００１０】
請求項２の発明の端末装置では、固定電話、携帯電話、パソコン、携帯情報端末等の通信機能を有する機器に保持されている固定電話番号、携帯電話番号、電子メールアドレス、住所、名前等、通信相手先を特定する１又は複数種のローカルアドレス情報を自動的に取り込み、ローカルアドレス情報として蓄積することができる。
【００１１】
請求項３の発明のセンタ装置は、多数の端末装置各々の固有の識別番号と、各端末装置に対応するユーザを識別する固定電話番号、携帯電話番号、電子メールアドレス、住所、名前等の１又は複数種のユーザ識別情報とを関連付け、ユーザ情報としてユーザ毎に蓄積するユーザ情報蓄積部と、任意の端末装置からの宛先ユーザを識別する固定電話番号、携帯電話番号、電子メールアドレス、住所、名前等の宛先ユーザ識別情報が付加された送信用コンテンツを受信したときに、当該宛先ユーザ識別情報を前記ユーザ情報蓄積部のユーザ情報と照合し、宛先ユーザ識別情報と一致するユーザ識別情報に関連付けられた端末装置の識別番号を抽出する受信側端末装置識別部と、前記受信側端末装置識別部が抽出した識別番号の端末装置に前記送信用コンテンツを情報ネットワークを通じて送信するネットワークインタフェースとを備えたものである。
【００１２】
請求項３の発明のセンタ装置では、あるユーザが送信側端末装置から通信相手先を特定する１又は複数種のローカルアドレス情報を宛先ユーザ識別情報として送信用コンテンツに付加して情報ネットワーク上を通じて送信してくれば、当該装置において、送信用コンテンツに付加して送信されてきた宛先ユーザ識別情報を自装置の保持しているユーザ情報と照合し、一致するユーザ識別情報に関連付けられた識別番号の端末装置を受信側端末装置として該コンテンツを配信する。
【００１３】
これにより、コンテンツを送信しようとするユーザは、宛先ユーザの使用している端末装置の識別番号が不明であっても、例えば、固定電話番号、携帯電話番号、電子メールアドレス、住所、名前等の宛先ユーザ識別情報の１又は複数種を宛先として指定して送信操作すれば、当該センタ装置側で宛先となる端末装置を特定し、それにコンテンツを送信できることになる。
【００１４】
請求項４の発明は、多数の端末装置と、センタ装置と、前記端末装置とセンタ装置との間のデータ伝送を受け持つ情報ネットワークとで構成されるコンテンツ配信システムであって、前記多数の端末装置各々は固有の識別番号を保持しており、前記センタ装置は、前記端末装置それぞれの識別番号と各端末装置に対応するユーザを識別する１又は複数種のユーザ識別情報とを関連付けたユーザ情報を保持しており、前記センタ装置は、ある送信側端末装置からのコンテンツ送信要求により該コンテンツを受信側端末装置に配信する際に、送信側端末装置が送信用コンテンツに付加して送信してくる宛先ユーザ識別情報を前記ユーザ情報と照合し、一致するユーザ識別情報に関連付けられた識別番号の端末装置を受信側端末装置にして該コンテンツを配信することを特徴とするものである。
【００１５】
請求項４の発明のコンテンツ配信システムでは、あるユーザが別のあるユーザにコンテンツを送信するときには、送信側端末装置において、送信元のユーザがローカルアドレス情報保存部に保持している通信相手先を特定する１又は複数種のローカルアドレス情報を宛先ユーザ識別情報として選択し、選択若しくは作成した送信用コンテンツに付加して情報ネットワーク上に送信すれば、センタ装置側で、送信用コンテンツに付加して送信されてきた宛先ユーザ識別情報を自装置の保持しているユーザ情報と照合し、一致するユーザ情報に関連付けられた識別番号の端末装置を受信側端末装置として該コンテンツを配信する。
【００１６】
これにより、コンテンツを送信しようとするユーザは、宛先ユーザの使用している端末装置の識別番号が不明であっても、例えば、固定電話番号、携帯電話番号、電子メールアドレス、住所、名前等の宛先ユーザ識別情報の１又は複数種を宛先として指定して送信操作すれば、コンテンツを該当ユーザの端末装置に簡単に送信できることになる。
【００１７】
請求項５の発明は、請求項４のコンテンツ配信システムにおいて、前記センタ装置は、前記受信側端末装置に前記コンテンツを送信するとき、受信側端末装置に送信側端末装置のユーザ識別情報を含む送信元情報を送信し、受信側端末装置からの配信了解の通知を受信した場合にのみ該コンテンツを送信することを特徴とするものである。
【００１８】
請求項５の発明のコンテンツ配信システムでは、受信側端末装置のユーザに対して、例えば知らない送信元から送られてくるコンテンツを受け入れるか拒否するか判断させることができ、いわゆるスパムメールの排除が可能となる。
【００１９】
請求項６の発明は、請求項４又は５のコンテンツ配信システムにおいて、前記ユーザ識別情報にはユーザの名前、電話番号、電子メールアドレス、住所又は郵便番号を含むことを特徴とするものであり、多数のユーザが通常、通信相手先のユーザ情報として登録している諸情報を宛先ユーザ識別情報として利用することができる。
【００２０】
請求項７の発明の端末用プログラムは、ヒューマンマシンインタフェースによりコンテンツ保存部に保存されているコンテンツから選択され、若しくは新たに作成されたコンテンツを送信用コンテンツとして保持する処理と、ローカルアドレス情報保存部に保持されている複数の相手先それぞれに関連付けられた固定電話番号、携帯電話番号、電子メールアドレス、住所、名前等、通信相手先を特定する１又は複数種のローカルアドレス情報から、前記ヒューマンマシンインタフェースにより選択された１若しくは複数の通信相手先それぞれについて少なくとも１種類のローカルアドレス情報を宛先ユーザ識別情報とし、前記送信用コンテンツに付加する処理と、前記宛先ユーザ識別情報が付加された送信用コンテンツを情報ネットワークに送出する処理とをコンピュータに実行させることを特徴とするものである。
【００２１】
請求項７の発明の端末用プログラムでは、これをコンピュータに実行させることにより、請求項１の発明の端末装置を構築することができ、当該端末装置によれば、送信用コンテンツを所望の相手先に送信する際に、ローカルアドレス情報から、例えば固定電話番号、携帯電話番号、電子メールアドレス、住所、名前等、通信相手先を特定する１又は複数種のローカルアドレス情報を選択して送信操作をすることにより、簡単に送信用コンテンツが送信できる。
【００２２】
請求項８の発明のコンテンツ配信用プログラムは、多数の端末装置各々の固有の識別番号と、各端末装置に対応するユーザを識別する固定電話番号、携帯電話番号、電子メールアドレス、住所、名前等の１又は複数種のユーザ識別情報とを関連付け、ユーザ情報としてユーザ毎に蓄積する処理と、任意の端末装置からの宛先ユーザを識別する固定電話番号、携帯電話番号、電子メールアドレス、住所、名前等の宛先ユーザ識別情報が付加された送信用コンテンツを受信したときに、当該宛先ユーザ識別情報を前記ユーザ情報と照合し、宛先ユーザ識別情報と一致するユーザ識別情報に関連付けられた端末装置の識別番号を抽出する処理と、抽出した識別番号の端末装置に前記送信用コンテンツを情報ネットワークを通じて送信する処理とをコンピュータに実行させることを特徴とするものである。
【００２３】
請求項８の発明のコンテンツ配信用プログラムでは、これをコンピュータに実行させることにより請求項３の発明のセンタ装置を構築することができ、当該センタ装置によれば、あるユーザが別のあるユーザにコンテンツを送信するときには、送信側端末装置において、送信元のユーザがローカルアドレス情報保存部に保持している通信相手先を特定する１又は複数種のローカルアドレス情報を宛先ユーザ識別情報として選択し、選択若しくは作成した送信用コンテンツに付加して情報ネットワーク上に送信すれば、センタ装置側で、送信用コンテンツに付加して送信されてきた宛先ユーザ識別情報を自装置の保持しているユーザ情報と照合し、一致するユーザ情報に関連付けられた識別番号の端末装置を受信側端末装置として該コンテンツを配信できるようになる。
【００２４】
【発明の実施の形態】
以下、本発明の実施の形態を図に基づいて詳説する。図１〜図４は、本発明の第１の実施の形態のコンテンツ配信システムの構成を示している。図１に示すように、センタ装置１０は、複数の端末装置２０ａ，２０ｂ，２０ｃ，…とネットワーク３０を介して接続されていて、端末装置２０各々からの要求により他の端末装置２０へ動画や静止画などの画像ファイルや電子メールなどのテキストファイルをコンテンツとして配信するものである。各端末装置２０には、自端末を他の端末と識別するための識別番号が付与されている。この識別番号はグローバルなものであり、例えば、ＭＡＣアドレスを利用し、ＩＰｖ６が実利用されている場合にはＩＰアドレスを利用する。
【００２５】
図１に詳しいように、センタ装置１０は制御部１１、データ解析部１２、宛先情報蓄積部１３、コンテンツ蓄積部１４、ユーザ情報蓄積部１５、ユーザ情報照合部１６、識別番号付加部１７、そしてネットワークインタフェース（Ｉ／Ｆ）部１８を備えている。
【００２６】
センタ装置１０における制御部１１は、センタ装置１０の各部を制御して、センタ装置１０の所定の動作を実行する。データ解析部１２は、ネットワーク３０を介して受信したデータを解析し、コンテンツデータと宛先ユーザ識別情報を識別して抽出する。宛先情報蓄積部１３は、データ解析部１２で抽出した宛先ユーザ識別情報を蓄積する。コンテンツ蓄積部１４は、データ解析部１２で抽出したコンテンツデータを蓄積する。ユーザ情報蓄積部１５は、図６に示すように、各端末装置２０ａ，２０ｂ，…の識別番号と、各端末装置２０ａ，２０ｂ，…に対応するユーザの名前、住所、電子メールアドレス、固定電話番号、携帯電話番号などのユーザ識別情報とを関連付けてユーザ情報としてユーザ毎に蓄積する。
【００２７】
センタ装置１０におけるユーザ情報照合部１６は、データ解析部１２で抽出した宛先ユーザ識別情報とユーザ情報蓄積部１５に蓄積されたユーザ識別情報とを照合し、一致したユーザ識別情報に対応した端末装置２０の識別番号を取り出す。識別番号付加部１７は、コンテンツ蓄積部１４に蓄積されているコンテンツに該コンテンツに付加されていた宛先情報から検索した端末装置２０の識別番号を付加する。ネットワークＩ／Ｆ部１８はネットワーク３０に接続されていて、ネットワーク３０を介してデータの送受信を行う。
【００２８】
端末装置２０は、パソコン、ＰＤＡ、セットトップボックスのような情報通信、演算処理機能を備えた情報家電である。図２に示すように、端末装置２０は制御部２１、アドレス情報受信・蓄積部２２、宛先リスト生成部２３、宛先付加部２４、映像出力部２５、コンテンツ蓄積部２６、そしてネットワークＩ／Ｆ部２７を備えている。
【００２９】
端末装置２０における制御部２１は、端末装置２０の各部を制御して、端末装置２０の所定の動作を実行する。
【００３０】
端末装置２０におけるアドレス情報受信・蓄積部２２は、当該端末装置２０に接続されている固定電話４０、携帯電話５０、パソコン６０などからこれらに備えられている電話帳機能やアドレス帳機能により記憶されている名前、住所、電子メールアドレス、電話番号などの情報を受信し、図５に示すようなローカルアドレス情報として蓄積しておく。これらの固定電話４０、携帯電話５０、パソコン６０などとの接続はインターフェースによる。そのインタフェースとしては、固定電話４０との間ではＩＳＤＮのＴＡ（ターミナルアダプタ）とＲＳ２３２ＣケーブルあるいはＵＳＢケーブルで接続し、ＴＡのドライバソフトを利用してパソコン側に電話番号をコピーする、携帯電話との間であれば接続ケーブルを繋ぎ、ソフトウェアによって電話番号、電子メールアドレスをコピーする、ＰＤＡのような携帯端末との間であれば赤外線通信機能やＢｌｕｅｔｏｏｔｈ機能を用いてアドレス帳のデータをコピーする、同じネットワークに接続されているパソコンなどの端末であれば、ＬＡＮあるいは無線ＬＡＮ経由でアドレス帳のデータをコピーする方法による。
【００３１】
端末装置２０における宛先リスト生成部２３は、ユーザが宛先として指定したアドレス情報受信・蓄積部２２に蓄積されているローカルアドレス情報を基に、コンテンツの宛先を設定した宛先リストを生成する。宛先付加部２４は、宛先リスト生成部２３で生成した宛先リストを、コンテンツ蓄積部２６から指定されたコンテンツに付加して送信する。映像出力部２５は、外部のテレビ受像機などの映像出力機器７０にメニュー画面や選択画面などを表示し、ユーザに処理の選択や文字入力などを行わせる。
【００３２】
端末装置２０におけるコンテンツ蓄積部２６は、作成した電子メールデータやネットワーク３０を介して受信した画像ファイル（動画、静止画）や外部インターフェース（図示していない）から入力された電子メールデータ、画像ファイルなどのコンテンツを蓄積する。ネットワークインタフェース（Ｉ／Ｆ）部２７は、ネットワーク３０に接続され、ネットワーク３０を介してデータの送受信を行う。
【００３３】
このようなセンタ装置１０と端末装置２０によるコンテンツの配信は、図３のシーケンスのように行われる。
【００３４】
まず、端末装置２０のアドレス情報受信・蓄積部２２は、それぞれのインタフェースを介して固定電話４０、携帯電話５０、パソコン６０などから相手先候補となる人物の名前とそれに対応する電話番号、電子メールアドレス、住所などが設定されたローカルアドレス情報を受信する（Ｓ１１）。このローカルアドレス情報を受信すると、図５に示すような既に蓄積しているローカルアドレス情報に、受信した情報に設定されている名前と同じものがないか検索し、同じ名前がある場合は、既に蓄積されているその名前に対応するローカルアドレス情報に、今回受信したローカルアドレス情報を追加して蓄積する。このとき、重複する情報がないかチェックして、重複している情報は新たに蓄積しないようにする。また、既に蓄積されているローカルアドレス情報に同じ名前がないときは、今回受信したローカルアドレス情報を新たに追加して蓄積し、ローカルアドレス情報を生成する（Ｓ１２）。
【００３５】
このローカルアドレス情報の追加、更新処理は、一定期間毎に実行し、あるいは該当端末装置２０に接続されている機器のアドレス情報が追加、更新された時に自動的に行う。
【００３６】
その後、ユーザによってコンテンツの送信要求が行われると（Ｓ１３）、端末装置２０の制御部２１は、コンテンツ蓄積部２６に蓄積されている予め作成した電子メールのようなテキストファイル、受信または取り込んだ画像ファイルなどのコンテンツの一覧を、映像出力部２５を介して映像出力機器７０に出力して送信コンテンツをユーザに指定させる。
【００３７】
ユーザが送信コンテンツを指定すると（Ｓ１４）、制御部２１は、指定されたコンテンツの識別データを記憶し（Ｓ１５）、宛先の入力方法をユーザに選択させる画面を映像出力機器７０に出力する。
【００３８】
次いで、ユーザが宛先と指定するローカルアドレス情報の表示を要求してくると（Ｓ１６）、制御部２１は、アドレス情報受信・蓄積部２２に蓄積されているローカルアドレス情報を読み出し、名前単位にまとめて映像出力機器７０に出力する（Ｓ１７）。このとき、宛先ローカルアドレスとして指定できるのは、電子メールアドレスだけでなく、電話番号や住所や名前でもかまわない。
【００３９】
ユーザが、表示されたローカルアドレス情報のリストから１つまたは複数のローカルアドレス情報を宛先として選択すると（Ｓ１８）、制御部２１は、選択されたローカルアドレス情報を宛先リスト生成部２３に通知して宛先リスト（１つの場合も複数の場合もあり得る）を作成させ（Ｓ１９）、映像出力機器７０にコンテンツを送信するかどうかの確認メッセージを出力し、ユーザからの送信要求を待つ。
【００４０】
次いで、ユーザが送信要求を選択すると（Ｓ２０）、制御部２１は、宛先リスト生成部２３で生成した宛先リストと指定されたコンテンツの識別データを宛先付加部２４に通知し、送信を依頼する。
【００４１】
宛先付加部２４は、通知されたコンテンツの識別データを基に、コンテンツ蓄積部２６からコンテンツを読み出し、このコンテンツに通知された宛先リストを宛先ユーザ識別情報として付加し（Ｓ２１）、ネットワークＩ／Ｆ部２７によりネットワーク３０を介してセンタ装置１０にコンテンツ送信要求として送信する（Ｓ２２）。
【００４２】
センタ装置１０の制御部１１は、ネットワークＩ／Ｆ部１８を通じて端末装置２０からのコンテンツ送信要求の通知を受けると、受信したデータから宛先ユーザ識別情報を分離し、宛先ユーザ識別情報に設定されている宛先リストのアドレス情報と一致するものが、図６に示すようなユーザ情報蓄積部１５に蓄積しているユーザ情報の中にあるか照合し、宛先リストのアドレス情報と一致するユーザ識別情報があれば、そのユーザに関連づけられている端末装置２０の識別番号を取り出し、受信したコンテンツに識別番号を付加する（Ｓ２３）。
【００４３】
詳細には、制御部１１は、受信したコンテンツ送信要求をデータ解析部１２に渡す。データ解析部１２は、コンテンツ送信要求のデータを解析し、コンテンツデータと宛先ユーザ識別情報とに分離して、宛先ユーザ識別情報は宛先情報蓄積部１３に蓄積し、コンテンツ情報はコンテンツ蓄積部１４に蓄積する。
【００４４】
データ解析部１２によるデータの解析及び分離が終了すると、制御部１１は、ユーザ情報照合部１６に宛先情報蓄積部１３に蓄積している宛先ユーザ識別情報を通知し、宛先ユーザ識別情報と一致するユーザ識別情報が存在しないか否か、図６に示すユーザ情報を検索させる。
【００４５】
ユーザ情報照合部１６は、図４のフローチャートに示すように宛先ユーザ識別情報とユーザ情報との照合を行う。それにはまず、宛先ユーザ識別情報の最初のアドレス情報を読み出し、それが識別番号か否か判定する（Ｓ３１）。識別番号であれば、そのまま宛先の識別番号を設定する識別番号リストに追加する（Ｓ３２）。
【００４６】
宛先ユーザ識別情報の最初のアドレス情報が識別番号でなければ、このアドレス情報とユーザ情報蓄積部に蓄積されているユーザ識別情報とを照合する（Ｓ３３）。
【００４７】
照合の結果一致するユーザ識別情報があるか否か判定し（Ｓ３４）、一致するユーザ識別情報があれば、そのユーザ識別情報に関連づけられている端末装置の識別番号を読み出し、識別番号リストに追加する（Ｓ３５）。
【００４８】
一致するユーザ識別情報が無い場合は、そのアドレス情報を、一致しなかったアドレス情報を設定する不一致リストに追加する（Ｓ３６）。
【００４９】
次いで、宛先ユーザ識別情報中の宛先リストに未だ照合をしていない他のアドレス情報があるか否か判定し（Ｓ３７）、未だ照合していないアドレス情報があれば、ステップＳ３１に戻って照合を繰り返す。
【００５０】
宛先リストに設定されている全てのアドレス情報の照合が終わると、ユーザ情報照合部１６は、作成した識別番号リストと不一致リストを制御部１１に通知する。
【００５１】
識別番号リストと不一致リストとを受けた制御部１１は、この識別番号リストと不一致リストと送信側端末装置２０の識別番号とコンテンツ蓄積部１４に蓄積したコンテンツの識別情報とを識別番号付加部１７に通知する。
【００５２】
識別番号付加部１７は、識別情報に基づいてコンテンツ蓄積部１４からコンテンツを読み出し、読み出したコンテンツに識別番号リストの識別番号を宛先としてそれぞれ付加し（Ｓ３８）、不一致リストにアドレス情報が設定されていれば、その不一致リストにコンテンツを付加し、送信側端末装置２０の識別番号を宛先としてネットワークＩ／Ｆ部１８を介して返信する（Ｓ３９、図３のＳ２４）。
【００５３】
その後、識別番号リストの識別番号を宛先として、それに付加したコンテンツをそれぞれネットワークＩ／Ｆ部１８を介して送信する（Ｓ４０、図３のＳ２５）。
【００５４】
そして宛先のユーザは、受信側端末装置２０で受信したコンテンツを表示する（図３におけるＳ２６）。
【００５５】
ここで、宛先のアドレス情報として設定できる情報は、住所や電話番号や電子メールアドレスだけでなく、これらの情報の一部（例えば、郵便番号や住所の町名までとか電話番号の市内局番までとか電子メールアドレスのドメイン名など）でもよく、その場合、その一部が一致する全ての端末装置２０にコンテンツが配信されることとなる。
【００５６】
このように本実施の形態のコンテンツ配信システムでは、センタ装置１０で端末装置２０各々の識別番号と対応するユーザの識別情報をユーザ情報として蓄積し、端末装置２０各々から送られてくるコンテンツ配信要求の宛先ユーザ識別情報に設定されたアドレス情報が、蓄積しているユーザの識別情報と一致するか照合し、一致するユーザの識別情報に対応する１又は複数の端末装置２０にコンテンツを配信するので、例えば、電子メールアドレスのような特定の情報を知らなくても、その他の宛先ユーザ識別情報によってコンテンツを所望のユーザの端末装置２０に配信することができる。
【００５７】
具体的な例で説明すれば、図５に示す送信元の端末装置２０には、Ａさん、Ｂさん、Ｃさん、Ｄさん等について、電子メールアドレス、携帯電話、固定電話アドレス等をアドレス帳として収集している。
【００５８】
そこで、送信元のユーザは、当該端末装置２０において、宛先をＡさんとしてあるコンテンツを送信する場合、Ａさんの電子メールアドレスだけでなく、これに代えて名前、固定電話番号あるいは携帯電話のいずれか１つ若しくは複数種を指定して送信操作する。
【００５９】
センタ装置１０では、このコンテンツ送信要求を受信すれば、自装置に保持しているユーザ情報から宛先ユーザ識別情報として指定された「Ａさん」という名前、メールアドレス、電話番号１、電話番号２等のいずれかの情報からＡさんの端末装置の識別番号「０００１」を特定し、この識別番号を宛先にしてコンテンツを送信する。
【００６０】
また、送信元の端末装置からの宛先ユーザ識別情報に、例えばＡさんの名前とＣさんの名前、あるいは複数の固定電話番号や電子メールアドレス等の複数の相手先を特定する宛先ユーザ識別情報を含んでいる場合、センタ装置１０は同様にしてＡさんの端末装置、Ｃさんの端末装置の識別番号「０００１」、「０００ｘ」を抽出し、それぞれにコンテンツを送信する。
【００６１】
これにより、電子メールや電子ファイルのようなコンテンツを送信したい相手の電子メールアドレスを指定して送信するだけでなく、送信元のユーザが送信したい相手の電話番号や名前などを宛先に指定してコンテンツの送信操作をすれば該当する相手先に正しく配信できることになる。
【００６２】
また、端末装置２０に固定電話４０や携帯電話５０やパソコン６０などに記憶されているアドレス情報を取り込み、図５に示したようにローカルアドレス情報として蓄積するので、ユーザがアドレス情報を入力して登録する手間を省くことができる。
【００６３】
なお、本実施の形態においては、宛先として１つの端末装置２０に１つのアドレス情報を指定したが、１つの端末装置２０の宛先として複数のアドレス情報を指定してもよい。このとき、センタ装置１０は、複数指定されたアドレス情報の１つ以上がユーザ情報蓄積部１５のユーザ識別情報と一致する端末装置２０にコンテンツを配信することになる。このようにすると、複数の情報に基づいて配信先の端末装置を特定することができ、誤配信を減少させることができる。
【００６４】
また、複数指定されたアドレス情報の全てが一致する端末装置２０にコンテンツを配信するようにしてもよい。このようにすると、さらに誤配信を減少させることができる。
【００６５】
また、センタ装置１０において、図３のＳ２３において、識別番号リストを作成後、次の手順でコンテンツの配信を行うようにしてもよい。まず、コンテンツの送信元の端末装置の識別番号によりユーザ情報蓄積部１５から送信元の端末装置のユーザの名前を検索し、その名前や配信するコンテンツのファイル名や配信するコンテンツの一部などを送信元情報として、予め設定された、例えば「ｘｘｘ様から、ｙｙｙｙのコンテンツの配信要求があります。該コンテンツを受信されるのでしたら『受信』ボタンを、拒否されるのでしたら『拒否』ボタンをクリックしてください。」というようなメッセージと共に、識別番号リストの識別番号の端末装置に配信する。これに対して宛先のユーザが、受信側の端末装置２０で受信したメッセージと送信元情報を閲覧し、送信元の名前やコンテンツの内容などにより配信を受けるかを決め、配信を受ける場合はメッセージに対して返信させる。そしてセンタ装置１０は、送信元情報を送信した端末装置からメッセージヘの返信を受信すると、コンテンツを該当端末装置に配信する。
【００６６】
このようにすると、誤配信のコンテンツや配信されたくないコンテンツを任意のユーザの端末装置２０に配信させないようにすることができる。
【００６７】
【発明の効果】
以上のように請求項１の発明の端末装置によれば、あるユーザが別のあるユーザにコンテンツを送信するときに、送信元のユーザが自身の端末装置を送信側端末装置とし、そのローカルアドレス情報保存部に保持している通信相手先を特定する１又は複数種のローカルアドレス情報を宛先ユーザ識別情報として選択し、選択若しくは作成した送信用コンテンツに付加して情報ネットワーク上に送信することができ、この送信側端末装置からコンテンツ送信要求を受けたセンタ装置側で、送信用コンテンツに付加して送信されてきた宛先ユーザ識別情報を自装置の保持しているユーザ情報と照合し、一致するユーザ識別情報に関連付けられた識別番号の端末装置を受信側端末装置として該コンテンツを配信するようにすれば、コンテンツを送信しようとするユーザは、宛先ユーザの使用している端末装置の識別番号が不明であっても、宛先ユーザを特定するユーザ識別情報、例えば、固定電話番号、携帯電話番号、電子メールアドレス、住所、名前等の宛先ユーザ識別情報の１又は複数種を宛先として指定して送信操作すれば、コンテンツを該当ユーザの端末装置に簡単に送信できるようになる。
【００６８】
請求項２の発明の端末装置によれば、固定電話、携帯電話、パソコン、携帯情報端末等の通信機能を有する機器に保持されている固定電話番号、携帯電話番号、電子メールアドレス、住所、名前等、通信相手先を特定する１又は複数種のローカルアドレス情報を自動的に取り込み、ローカルアドレス情報として蓄積することができる。
【００６９】
請求項３の発明のセンタ装置によれば、あるユーザが送信側端末装置から通信相手先を特定する１又は複数種のローカルアドレス情報を宛先ユーザ識別情報として送信用コンテンツに付加して情報ネットワーク上を通じて送信してくれば、当該装置において、送信用コンテンツに付加して送信されてきた宛先ユーザ識別情報を自装置の保持しているユーザ情報と照合し、一致するユーザ識別情報に関連付けられた識別番号の端末装置を受信側端末装置として該コンテンツを配信することができ、コンテンツを送信しようとするユーザは、宛先ユーザの使用している端末装置の識別番号が不明であっても、例えば、固定電話番号、携帯電話番号、電子メールアドレス、住所、名前等の宛先ユーザ識別情報の１又は複数種を宛先として指定して送信操作すれば、当該センタ装置側で宛先となる端末装置を特定し、それにコンテンツを送信できることになる。
【００７０】
請求項４の発明のコンテンツ配信システムによれば、あるユーザが別のあるユーザにコンテンツを送信するときには、送信側端末装置において、送信元のユーザがローカルアドレス情報保存部に保持している通信相手先を特定する１又は複数種のローカルアドレス情報を宛先ユーザ識別情報として選択し、選択若しくは作成した送信用コンテンツに付加して情報ネットワーク上に送信すれば、センタ装置側で、送信用コンテンツに付加して送信されてきた宛先ユーザ識別情報を自装置の保持しているユーザ情報と照合し、一致するユーザ情報に関連付けられた識別番号の端末装置を受信側端末装置として該コンテンツを配信することができ、これにより、コンテンツを送信しようとするユーザは、宛先ユーザの使用している端末装置の識別番号が不明であっても、例えば、固定電話番号、携帯電話番号、電子メールアドレス、住所、名前等の宛先ユーザ識別情報の１又は複数種を宛先として指定して送信操作すれば、コンテンツを該当ユーザの端末装置に簡単に送信できる。
【００７１】
請求項５の発明のコンテンツ配信システムによれば、受信側端末装置のユーザに対して、例えば知らない送信元から送られてくるコンテンツを受け入れるか拒否するか判断させることができ、いわゆるスパムメールの排除が可能となる。
【００７２】
請求項６の発明のコンテンツ配信システムによれば、ユーザ情報には名前、電話番号、電子メールアドレス、住所又は郵便番号を含ませることにより、多数のユーザが通常、通信相手先のユーザ情報として登録している諸情報を宛先ユーザ識別情報として利用することができる。
【００７３】
請求項７の発明の端末用プログラムによれば、これをコンピュータに実行させることにより、請求項１の発明の端末装置を構築することができる。
【００７４】
請求項８の発明のコンテンツ配信用プログラムによれば、これをコンピュータに実行させることにより請求項３の発明のセンタ装置を構築することができる。
【図面の簡単な説明】
【図１】本発明の１つの実施の形態のコンテンツ配信システムの機能ブロック図。
【図２】上記実施の形態のコンテンツ配信システムにおける端末装置の機能ブロック図。
【図３】上記実施の形態のコンテンツ配信システムによるコンテンツ配信処理のシーケンス。
【図４】上記実施の形態のコンテンツ配信システムにおけるセンタ装置が実行するユーザ情報照合処理のフローチャート。
【図５】上記実施の形態のコンテンツ配信システムにおいて端末装置が蓄積、保存するアドレス情報の説明図。
【図６】上記実施の形態のコンテンツ配信システムにおいてセンタ装置が蓄積、保存するユーザ情報の説明図。
【符号の説明】
１０　センタ装置
１１　制御部
１２　データ解析部
１３　宛先情報蓄積部
１４　コンテンツ蓄積部
１５　ユーザ情報蓄積部
１６　ユーザ情報照合部
１７　識別番号付加部
１８　ネットワークＩ／Ｆ部
２０，２０ａ，２０ｂ，…　端末装置
２１　制御部
２２　アドレス情報受信・蓄積部
２３　宛先リスト生成部
２４　宛先付加部
２５　映像出力部
２６　コンテンツ蓄積部
２７　ネットワークＩ／Ｆ部
３０　ネットワーク
４０　固定電話
５０　携帯電話
６０　パソコン
７０　映像出力機器
【図１】
2004056191.tif 000003
【図２】
2004056191.tif 000004
【図３】
2004056191.tif 000005
【図４】
2004056191.tif 000006
【図５】
2004056191.tif 000007
【図６】
2004056191.tif 000008